(57)【要約】【課題】災害時に避難者の避難施設としての同一区画領域を構成するフレーム体簡易適用パーティションの提供により、手動による強固なフレーム構造体を構成し、プライバシー確保より状態・条件に合ったパーティションの選択を可能とする。又、組立・分解、及び、縮小収納保管に最適な短期中期簡易適用パーティションの構築を課題とした。【解決手段】フレーム体のアルミ一体成型角型押し出し中空体１ａ・１ｂ・２・３ａ・３ｂを、選定の機能付接合クランプ４・５の接合により、強固な構造体を構成する事によるランニングコストの削減と、並列連結接合・反転並列連結接合ができる同一画領域を構成するパーティションを備えることを特徴とし、組立・分解、及び、縮小収納保管を簡易にする構造により、課題を解決する。【選択図】図１
2015129429.tif 000002
【特許請求の範囲】
【請求項１】
選定ベース機能付接合クランプと上部接合クランプに、アルミ一体成型角型押し出し中空横用フレーム体を接合し、同質のアルミ一体成型角型押し出し中空竪用フレーム体の本柱・中間柱と接合のフレーム構造を有することを特徴する、連結接合による同一区画領域を構成する簡易適用パーティション構造。
【請求項２】
前項のアルミ一体成型角型押し出し中空フレーム体は、下部１種類・上部２種類の合計３種類の横用フレームと、２種類の竪用支柱フレームを差込み接合することで、強固に締め固める下部・上部の合計２種類の接合クランプを有することを特徴とする、請求項１記載の簡易適用パーティション構造。
【請求項３】
前項の同一区画領域を構成する支柱の下部に設置の選定ベース機能付接合クランプは、格納型アジャスターを有することを特徴とする、請求項１、又は請求項２記載の簡易適用パーティション構造。
【請求項４】
前項の横用フレーム体の上部・下部フレームに一体成型加工した、１種類の遮蔽用カーテンレールと、状態・条件に対応する遮蔽用パネル溝と、天井用遮光スライドカーテンレールを有することを特徴とする、請求項１、２又は請求項３記載の簡易適用パーティション構造。
【請求項５】
前請求項２の同一区画領域を構成する一体成型加工した本柱・中間柱は、４面を遮蔽用パネル設置の遮蔽用パネル係止金具による、後付け作業を有することを特徴とする、請求項１，２，３又は、４記載の簡易適用パーティション構造。
【請求項６】
同一区画領域を構成するパーティションに、遮蔽用カーテンと状態・条件に対応する遮蔽用パネルと天井用遮光スライドカーテンを有することを特徴とする、請求項１，２，３，４又は５記載の簡易適用パーティション構造。
【請求項７】
前項の同一区画領域を構成するパーティションは、規格品の遮音性及び、断熱性の高い素材パネルを有することを特徴とする、請求項１，２，３，４，５又は６記載の簡易適用パーティション構造。
【請求項８】
前項の同一区画領域を構成するパーティションは、フック付カーテン引き戸ノブを有する事を特徴とする、請求項１，２，３，４，５，６，又は７記載の簡易適用パーティション構造。
【発明の詳細な説明】
【発明の詳細な説明】
【技術分野】
【０００１】本発明は、自然災害時や人的災害時における、避難者の避難施設の同一区画領域を構成するフレーム体簡易適用パーティションに関する。
【背景技術】
【０００２】従来の技術は、大きな公共施設の空間を避難所とすることでプライバシーの確保が難しい。組立の簡易重視による短期・中期間避難所としての構造体ではなく、区画領域の独立性が維持されず、更なる避難者のストレスを引き起こす要因にもなっている。【０００３】従って、災害時に容易に組立、又は、分解容易な簡易パーティションが下記特許文献１，２、３による背景技術がある。これらの簡易パーティションは、支柱を介して連結される複数のパネルを直列、直角に設定して連結ブースの構造を構成しているもの、又は、一種類のパーティションを複数連結配置して構成するダンボール製パーティション構造があり、このパーティションには、中折れ目を備えた側板の左右端縁に夫々折目を介して端板を連設し、設けられた連結部を固定して構成するコ字状間仕切りを単数、又は、複数配列し構成されているもの、この特許文献１，２に共通の強度や耐久性に不十分な壁パネルの欠点を補うように、複数の連結金具を使用し、強度や耐久性に考慮した壁ボードを使用し、複数の企画領域を構成している。
【特許文献１】  特開平１０−１７９３００号広報
【特許文献２】  特開２００６−３２８８３４号広報
【特許文献３】  特開２００６−２１４２７１号広報
【発明の開示】
【発明が解決しようとする課題】
【０００４】上記の従来型パーティションは、各領域を区画するパネルが断熱ボード、ベニヤ合板、発泡樹脂パネル等を使用し強度を保持しながら、複数個の連結金具で連結し、各区画領域を構成している。【０００５】従来型簡易パーティションは、壁パネルに一定の厚みを持たせる事で強度を保持し、組立に力点を置き、区画領域の独立性が保たれていない。又、組立・分解、及び収納保管時に起きる角の破損により、再生組立の作業効率を損ね、又、壁材のかさばりで収納スペースの確保も課題となる。特許文献３は、異種類の連結金具、連結部材を複数個使用することにより組立が簡易でない。【０００６】本発明は、２種類の接合クランプに工具を必要としない手動式ロック機能を有し、締め固めによるフレーム構造体を構成し、組立・分解、及び、収納保管する短期・中期適用の簡易適用パーティションを構築することを課題とした。【０００７】本発明は、フレーム構造体を構成することを有する事により、請求項６の遮蔽用カーテンに限定せず、請求項４、５、及び請求項７に示す通り、パネルを設置し、同一区画領域を構成することによる避難所の状態・条件に対応する、簡易適用パーティションを構築することを課題とした。
【課題を解決するための手段】
【０００８】本願請求項１の発明は、フレーム体のアルミ成型角型押し出し中空体と、選定ベース機能付接合クランプ４及び、上部用接合クランプ５の接合により、簡易な並列連結接合及び、反転並列連結接合による同一区画領域を構成の簡易適用パーテーションを備えることを特徴とする、簡易適用パーティション構造を提供し課題とした。【０００９】前記のアルミ成型角型押し出し中空フレーム体は、選定ベース機能付接合クランプ４に格納されたアジャスター４ｆ，４ｇ，４ｈによる不陸調整で、一定の捩れや歪みに対応するバランス強度を保持し、より精度を高める事による開閉作業を容易とし、一定の品質を有する量産品の設置を有効とする。【００１０】本願請求項１と３の選定ベース用接合クランプ４により、全体フレームの不陸調整をすることによる、柱とフレームの接続角度を９０度に維持し、組立を容易にする。また、全方向対応型による１種類のベース付部材に限定加工する事で、簡易にして組立の効率性を高めた。【００１１】本願請求項２の記載は、２種類の接合クランプ４・５に竪用フレーム１ａ・１ｂとアタッチメント一体型の下部横用フレーム２と同じく一体型の上部横用フレーム３ａ・３ｂをクランプ手動ナット４ｄによる強固に締め固めたフレーム体を構成することを特徴とした。【００１２】前記の簡易適用パーティション構造は、２種類の接合クランプ４・５により、工具を必要としない組立、分解が容易なフレーム体を構成する。【００１３】本願請求項４の発明は、下部・上部の横用フレーム２・３ａ・３ｂに一体成型加工した遮蔽用カーテンレール３ｃと、状態・条件に対応する遮蔽用パネル溝レール２ｃと、天井用遮光スライドカーテンレール２ｄを有することを特徴とした。【００１４】前記［００１３］の下部・上部のフレーム一体成型加工を設けることによる避難所での組立、及び作業工程を簡素化し効率性を高めることを特徴とした。【００１５】前記［００１３］に設置の天井用遮光スライドカーテン２ｄは、睡眠を考慮した量産品を選択したい。又、請求項４の設置方法は、カーテンに一定のテンション負荷を与える為の伸縮用クリップ付フックランナー２ｅによる、規格カーテン７ａを設置する構成とすることで、作業効率を高めることを特徴とした。【００１６】本願請求項５の発明は、請求項７に示す通り、状態・条件に対応する遮音性及び、断熱性の高いパネル６ｃによる同一区画領域を構成するのに適用した構造。【００１７】本願請求項６の発明は、緊急避難場所において、避難者自身の連結接合による同一区画領域を構成する組立を可能とする、後付け可能な伸縮用クリップ付フックランナー２ｅ、又は工具を必要としない手動型接合クランプを有する事を特徴とする簡易適用パーティション構造とする。
【発明の効果】
【００１８】本願発明のフレーム体簡易適用パーティションにより、組立が強固で簡易であり、短期・中期間の避難所生活に対応する天井用遮光スライドカーテン７ａの設置、及び、状態・条件に対応の遮蔽用カーテン６ａ・６ｂ、又は、遮蔽用パネル６ｃの２タイプのパーティションを選択し，更に工具を必要としない部材の組み立・分解の簡易化と縮小収納保管所の効果がある。
【発明を実施するための最良の形態】
【００１９】以下、図面を参照して本発明の避難所フレーム体簡易適用パーティション構造の実施形態を説明する。１ブースは１２０ｃｍ×２２０ｃｍを基本サイズとし、上部１種類の接合クランプ５と下部１種類の接合クランプ４と、２種類の竪用フレーム１ａ・１ｂと、３種類の横フレーム２・３ａ・３ｂより接合するフレーム体を有する連結接合できる組み立て構成とし、避難所では、組立に有する工具を必要としない構造とした。【００２０】また、避難場所においては床面の凹凸に適合するため、選定ベース機能付接合クランプ４は、手動によるアジャスターナット４ｈを設置することによる、捩れ、及び、歪みの調整を行う事による開閉作業を容易にし、パーティションのより良好な操作を付与した。【００２１】また、作業手順としては、選定ベース機能付接合クランプ４を確定配置し、下部フレーム２と接合することで基本ブースのスペースが確定される。連結接合する時は、最初に設定した基本ブースに順次連結接合する事で、全体の組み立て面積が確認できる。更に、選定ベース機能付接合クランプ４は、全方向対応型とする１種類の部材のため、避難所での組立に迷う事はなく、並列・反転連結接合にも適用する構成である。【００２２】前期の基本ブースを設定し、クランプ４に竪用フレーム１ａ・１ｂを接合させる。接合する時は、支柱１ａ・１ｂに付設のロックレバー５ｃを解除し、支柱１ａ・１ｂを挿入後、ロックレバー５ｃを挿入する事により、支柱１ａ・１ｂはロックし自立する。次に、支柱１ａ・１ｂの上部に上部用機能付接合クランプ４を設置し、横用フレーム３ａ・３ｂを上記同様の手順で接合し組み立てる。又、２種類の接合クランプ４・５は、全方向対応型により組立方向を限定する事なく組立が出来る作業性の高い構成である。【００２３】竪用フレームの支柱１ａ・１ｂは、一体成型加工した遮蔽用パネルストッパーとして成型加工され、請求項５の示すとおり、遮蔽用パネル６ｃを正面から嵌め込み後、遮蔽用パネル固定金具６ｄを遮蔽用パネル６ｃに押し当て、支柱１ａ・１ｂに加工されたフック用連通溝６ｄｂにパネル固定フック６ｄａを差込み、降下し固定する。フレーム体構造により、選択可能の２種類のパーティションを提供する。【００２４】下部２と上部３ａ・３ｂの横用フレームは、一体成型加工されたカーテンレール２ｄを付設することにより、壁用の遮蔽カーテン６ａ，及び，天井用遮光スライドカーテン７ａの設置は、伸縮用クリップ付フックランナー２ｅによる取付け作業とする。【００２５】また、選定ベース機能付接合クランプ４と上部接合クランプ５は、全方向対応型とする事で、合計２種類の接合クランプの構成により、全フレームを手動ナット４ｄ・４ｈ・５ｅの簡易にロックする強固に締め固める構造とした。
【実施例】
【００２６】本発明の実施例を図面に基づいて説明する。
図１は、基本ブースを複数の並列連結接合、又は、反転並列連結接合可能とする全振り回し対応の接合クランプ４・５と支柱１ａ・１ｂの構成である。接合クランプは、下部接合クランプ４（図８参照）と上部接合クランプ５（図７参照）の２種類での複数連結接合の多様構造とし、遮蔽用カーテン６ａと、出入り口のカーテン６ｂ（図１２参照）は、全同一規格寸法としている。遮蔽用カーテン６ａ・遮光用天井カーテン７ａは、開閉作業が簡易に行えるように、図１０はクリップ付伸縮カーテンランナー２ｅでテンション付与した。【００２７】図３は、遮蔽用カーテン６ａと遮蔽用パネル６ｃを設置したものであり、遮蔽用カーテン６ａは、フック付カーテン引き戸ノブ６ｅにより、設置した後の開閉を容易とし、又、遮蔽用パネル６ｃは、本柱１ａと中間柱１ｂに一体成型加工されたフラットバーに内部から押し当て、遮蔽用パネル係止金具６ｄ（図１３参照）に示す通り、本柱１ａ・中間柱１ｂに加工されたフック連通溝６ｄｂにパネル係止フック６ｄａを差込み下降させ固定するので、組み立て・分解においての簡易性が高い。【００２８】図４は、２連並列連結接合・２連反転並列接合を示し、下部接合クランプ（図８参照）と上部接合クランプ（図７参照）の２種類のクランプ４・５により、外周部と間仕切り部の接合を簡易にし、下部フレーム２（図１０・１１参照）は１種類の規格寸法とし、上部長尺フレーム３ｂ（図１０参照）は、遮光用天井カーテン７ａと上部フレーム３ｂの一体成型加工により、組み立て作業の効率を促進させた。又、遮蔽用カーテン６ａは、中間柱１ｂ（図１２参照）を設置する事による全同一規格寸法とし、両サイドには取って併用のフッ付カーテン引き戸ノブ６ｅを設置した。【００２９】図８は、下部フレーム２と下部接合クランプ４（図８参照）の接合を示しており、接合クランプ４に下部フレームのアタッチメント２ａを差込み、クランプ本体４の固定ボックスを固定するクランプ手動ナット４ｄを４〜５回転することによる強固に締め固める構造。又、ベース用パイプシャフト４ｂの内径に設置のアジャスターシャフト４ｇと一体のアジャスターナット４ｈを左右に回転させる事により、下部フレーム全体の不陸を調整する構造体にした。【００３０】図７は、上部接合クランプ本体５を縦用フレームである本柱１ａにセットし、本柱に設置のロックレバー５ｃで固定する。上部フレーム３ａ・３ｂは、上部クランプのダブルアタッチメント５ｄに差込み、上部クランプ手動ナット５ｅを４〜５回転する事による強固に締め固める構造。又、ダブルアタッチメント５ｄは、係止用アタッチメントダボ５ｇを有することによる締め固めを強化した。
【図面の簡単な説明】
【００３１】
【図１】本発明の実施の一形態による簡易適用パーティションの斜視図
【図２】図１のＡ−Ａ断面図
【図３】図１のＢ−Ｂ断面図
【図４】並列、反転連結接合による同一区画領域を示す平面図
【図５】正面図
【図６】側面図
【図７】本柱、フレームと上部接合クランプの断面図・平面図・正面図
【図８】本柱、フレームと下部ベース接合クランプの断面図・平面図
【図９】本柱と遮蔽用カーテン・遮蔽用パネルの断面図
【図１０】下部フレーム・上部フレームの断面図
【図１１】出入り口フレームの断面図
【図１２】中間柱と上部長尺フレームの正面図・平面図
【図１３】本柱と遮蔽用パネル固定金具の断面図・正面図
【符号の説明】
【００３２】１ａ  竪用フレーム（本柱）
１ｂ  竪用フレーム（中間柱）
１ｃ  アタッチメントダボ穴
１ｄ  中間柱用アタッチメント
１ｅ  プレートビス
１ｆ  中間柱用ダボ
２    下部フレーム
２ａ  下部フレーム用アタッチメント
２ｂ  出入り口フレーム保護用テーパーパッド
２ｃ  パネル用溝レール
２ｄ  遮蔽用カーテンレール
２ｅ  伸縮用クリップ付フックランナー
３ａ  上部短辺フレーム
３ｂ  上部長辺フレーム
３ｃ
３ｄ  上部フレーム用アタッチメント
４    選定ベース本体機能付接合クランプ
４ａ  ベース用アタッチメント
４ｂ  ベース用パイプシャフト
４ｃ  シャフト固定ナット
４ｄ  下部クランプ手動ナット
４ｅ  クランプシャフト座金
４ｆ  アジャスター用ベース
４ｇ  アジャスターシャフト
４ｈ  アジャスターナット
５    上部用本体接合クランプ
５ａ  本柱接合ボックス
５ｂ  ロックレバー係止穴
５ｃ  ロックレバー
５ｄ  ダブルアタッチメン
５ｅ  上部クランプ手動ナット
５ｆ  上部クランプシャフト
５ｇ  係止ダボ皿
６ａ  遮蔽用カーテン
６ｂ  出入り口カーテン
６ｃ  遮蔽用パネル
６ｄ  遮蔽用パネル係止金具
６ｄａパネル係止フック
６ｄｂフック用連通溝
６ｅ  フック付カーテン引き戸ノブ
７ａ  天井用遮光スライドカーテン
【図１】
2015129429.tif 000003
【図２】
2015129429.tif 000004
【図３】
2015129429.tif 000005
【図４】
2015129429.tif 000006
【図５】
2015129429.tif 000007
【図６】
2015129429.tif 000008
【図７】
2015129429.tif 000009
【図８】
2015129429.tif 000010
【図９】
2015129429.tif 000011
【図１０】
2015129429.tif 000012
【図１１】
2015129429.tif 000013
【図１２】
2015129429.tif 000014
【図１３】
2015129429.tif 000015